(57)【特許請求の範囲】
【請求項１】
前面部及び該前面部の左右両側に折曲げ形成された左右の側面部を有し、それらの左右の側面部の後縁側に斜辺が形成された多孔材からなり、法枠の上面に固定する際に変形可能な植栽ボックスであって、前記左右の側面部の後縁側に形成される斜辺は、それぞれ側面部の後縁部の長さより長い線材から構成されるとともに、それらの斜辺の上端及び下端に、前記側面部から離間した状態に、法枠上面に突出するアンカーボルトを挿通させるためのルーズ孔を設けたことを特徴とする法枠の植栽ボックス。
【請求項２】
前面部及び該前面部の左右両側に折曲げ形成された左右の側面部を有し、それらの左右の側面部の後縁側に斜辺が形成された多孔材からなる変形可能な植栽ボックスの施工方法であって、前記左右の側面部の後縁側に形成される各斜辺を、それぞれ側面部の後縁部の長さより長い線材から構成するとともに、各斜辺の上端及び下端に前記側面部から離間した状態にルーズ孔を設け、それらのルーズ孔を法枠上面に突出する各アンカーボルトに嵌め込んで固定することを特徴とする植栽ボックスの施工方法。
【請求項３】
植栽ボックスを構成する前記多孔材の内面を布材で覆った後に客土を入れ、該客土に木草類を植栽することを特徴とする請求項２に記載の植栽ボックスの施工方法。
【発明の詳細な説明】
【０００１】
【発明の属する技術分野】
本発明は、法枠の景観を向上させるための植栽ボックス及びその施工方法に関する。
【０００２】
【従来の技術】
法面を安定化させて保護するために、縦枠及び横枠からなる格子状の法枠が設置される。この法枠は、地山の凹凸や傾斜に合わせて形成した型枠にコンクリートやモルタルを吹付けて構築しているので、法枠の向きや左右の格子間隔及び高さが３次元的にずれ、法枠上面や側面の傾きは一様ではない。地山の斜面は、例えば平地面のカーブした道路等に沿った斜面のように、その裾部分が湾曲し、その湾曲形状の裾から斜面に沿って垂直に型枠（縦型枠）を設置してコンクリート等を打設する。このため、湾曲の度合いや斜面の角度により縦枠間隔が高さに応じて変わり並行のまま設置することはできない。この縦枠上面の角度は地山の傾斜角度により変わり左右方向にねじれた状態になる場合もある。また、この縦枠に対し直交方向に設置した横枠についても縦枠平行度のずれや地山傾斜角度により間隔が変わり、またその上面の角度がずれてねじれが生じる場合もある。このように縦枠及び横枠からなる格子状の法枠は、その上下左右の格子枠間隔や高さ及び法枠上面や側面の傾きや高さ等が一様ではなく３次元的にずれている。このようなずれを吸収するために、例えば適当な高さごとに縦枠をずらせて左右間隔を調整することも行われているが完全に３次元的なずれを修正することはできない。
【０００３】
一方、法枠が設置された法面の緑化を図り景観を向上させるために、法枠の格子内に客土を入れて草木植物等を植栽することが行われている。このような植栽方法として、中低木樹木等の木草類を可能とする植栽ボックスが知られている。この植栽ボックスは、傾斜する各格子の下側の横枠に沿ってほぼ垂直に壁材を立設し、この壁材により格子面より上方に突出する上部が開放したボックス部を形成して、このボックス部に客土を入れて収容するものである。このような植栽ボックスによれば、格子の厚さ（深さ）以上の客土を収容し、客土収容部の容積を大きくできるため根が大きくなる樹木類の植生が可能になる。このような植栽ボックスの植栽用の枠材（壁材）を法枠に取付ける場合には、前述のように、地山の凹凸や傾斜角度等により格子の方向、間隔、高さ及び上面や側面の角度等が一様でなく３次元的に変形している法枠に対して植栽用の枠材を取付けなければならない。
【０００４】
このような植栽ボックスの例として、実開平５−８１３３８号公報に植生用ポットが開示されている。この植生用ポットは、格子の下縁部から土留壁を立ち上がらせて植生ポットを形成し、その内部に植生土を詰めて中低木を植えるものである。この植生ポットを構成する土留壁は、格子の縦枠及び横枠の内側の側面に沿って配設され、ボルトにより各側面に固定される。
【０００５】
【発明が解決しようとする課題】
しかしながら、上記公報記載の植生用ポット構造では、法枠の格子の内側の側面に壁材が固定されるため、前述のように格子の向きや間隔及び高さが３次元的にずれ、上面や側面の傾きが一様でない法枠に対し、実際に現場で各法枠の格子形状等に追従して取付けることは容易でない。すなわち、従来の植栽ボックスでは、地山の凹凸や傾斜角度等により格子の方向、間隔、高さ及び上面や側面の角度等が一様でなく３次元的に変形している法枠に対し、植栽用の枠材をこの法枠に沿って過度な応力を作用させることなく確実に強固に取付けることは困難であった。
【０００６】
本発明は上記従来技術を考慮したものであって、地山の凹凸や傾斜に応じて向きや間隔及び高さ等の位置が３次元的にずれて一様でない法枠の各格子に対し、その位置や傾き等に容易に追従して確実に強固に取付け可能な植栽ボックス及びその施工方法の提供を目的とする。
【０００７】
【課題を解決するための手段】
前記目的を達成するため、請求項１の発明では、前面部及び該前面部の左右両側に折曲げ形成された側面部を有し、それらの左右の側面部の後縁側に斜辺が形成された多孔材からなり、法枠の上面に固定する際に変形可能な植栽ボックスであって、前記左右の側面部の後縁側に形成される斜辺は、それぞれ側面部の後縁部の長さより長い線材から構成されるとともに、それらの斜辺の上端及び下端に、前記側面部から離間した状態に、法枠上面に突出するアンカーボルトを挿通させるための長孔形状等のルーズ孔を設けたことを特徴とする。
【０００８】
この構成によれば、傾斜している法枠の上面に植栽ボックスの側面部が固定され、前面部がほぼ垂直に立上がって、上面が開口する植栽ボックスが法枠上面に形成される。したがって、植栽ボックスの側面部や前面部の変形により、法枠上面で取付部の位置を容易に調整でき、法枠の格子の位置や間隔及び傾きや高さ等に追従して植栽ボックスを無理なく容易に最適位置の法枠上に固定することができる。この場合、植栽ボックスの枠材を構成する側面部や前面部を曲げて弾性変形あるいは塑性変形させながら法枠に取付けるため、３次元的に変形している法枠に対しその変形に追従して確実に固定され信頼性が高められる。
【０００９】
しかも、前記左右の側面部の後縁側に形成される斜辺は、それぞれ側面部の後縁部の長さより長い線材から構成され、それらの斜辺の上端及び下端に、前記側面部から離間した状態に、法枠上面に突出するアンカーボルトを挿通させるためのルーズ孔を設けたので、そのルーズ孔の周辺には広い作業空間が形成されることから、各アンカーボルトに対する各ルーズ孔の嵌め込み作業が容易で、その作業性を向上できる。また、前記斜辺の上端及び下端に設けられたルーズ孔相互間の距離が側面部の後縁部の長さより長くなることから、一方のルーズ孔をアンカーボルトに嵌め込んで掛合させた後に、他方のルーズ孔を他のアンカーボルトに対して掛合させる際には、その長い斜辺を腕として大きな回転モーメントを加えることが可能になり、植栽ボックスの変形が容易になるので、当該ルーズ孔とアンカーボルトとの位置合せ作業がより簡便になり、その作業性を向上できる。
【００１０】
すなわち、前面部及び該前面部の左右両側に折曲げ形成された側面部を有し、多孔材からなる変形可能な植栽ボックスと、前記側面部の後縁部の長さより長い線材から構成される斜辺と、それぞれの斜辺の上端及び下端に、前記側面部から離間した状態に設けられたルーズ孔との組合わせにより、３次元的にずれて一様でない法枠の各格子に対しても植栽ボックスを最適位置に的確かつ容易に設置することができる。
【００１１】
また、上記植栽ボックスの施工方法として、請求項２の発明では、前記左右の側面部の後縁側に形成される各斜辺を、それぞれ側面部の後縁部の長さより長い線材から構成するとともに、各斜辺の上端及び下端に前記側面部から離間した状態にルーズ孔を設け、それらのルーズ孔を法枠上面に突出する各アンカーボルトに嵌め込んで固定することにより、植栽ボックスを法枠上面に対して固定するという施工方法を採用した。さらに、請求項３の発明では、植栽ボックスを構成する前記多孔材の内面を布材で覆った後に客土を入れ、該客土に木草類を植栽することを特徴とする。
【００１２】
これらの施工方法によれば、アンカーボルトを格子の縦枠や横枠の上面に突出させ、それらのアンカーボルトに植栽ボックスの取付部のルーズ孔が嵌め込み、格子の位置や傾斜等に応じてルーズ孔の位置を調整し、法枠上面の角度や位置及びねじれ等に細かく追従して弾性変形させながら最適位置に配置した状態でナットを締付けてこの植栽ボックス固定することができる。この場合、本発明によれば、前記斜辺の上端及び下端に設けられたルーズ孔相互間の距離が側面部の後縁部の長さより長くなることから、一方のルーズ孔をアンカーボルトに嵌め込んで掛合させた後に、他方のルーズ孔を他のアンカーボルトに対して掛合させる際には、その長い斜辺を腕として大きな回転モーメントを加えることができるので、植栽ボックスの変形が容易になる結果、当該ルーズ孔とアンカーボルトとの位置合せ作業が容易になり、作業性を向上できる。その後、植栽ボックスの内面に布材を張って内部に客土を投入し、中低樹木等の木草類を植生させることも可能である。これにより、法枠への固定部分と植栽ボックスとの間に大きな隙間が生じた場合であっても、この隙間に合わせて植栽ボックスを変形させて隙間を埋め、確実に法枠に取付けることができる。
【００１３】
【発明の実施の形態】
以下図面を参照して本発明の実施の形態について説明する。図１は、本発明の実施形態に係る植栽ボックスの設置状態の正面図である。法枠１は縦枠２と横枠３により格子状に形成される。この法枠１の各格子の下側の横枠３に沿って植栽ボックス４が取付けられる。植栽ボックス４は、金網、エキスパンドメタルあるいはパンチングメタル等の多孔材により形成された前面部５と、これをその左右両側で折り曲げた側面部６とにより構成される。側面部６は側面から見て、後述の図３に示すように、ほぼ逆直角三角形の形状またはその頂部を切欠いた四辺形の形状であり、その後縁側（地山側）に斜辺６ａが形成される。この斜辺６ａの上端部及び下端部にそれぞれ取付部７ａ，７ｂが設けられ、後述のように法枠１の上面（前面側）に固定される。前記前面部５の中間部には、植栽ボックス４の膨らみを防止するための補助取付部８が設けられ、前面部５の下縁側を横枠３の上面に固定する。左右両側の取付部７ａ，７ｂは予め工場等で植栽ボックス４と一体的に設けられる。補助取付部８は、現場で必要な位置に装着される。格子スパンが長く必要な位置が分かる場合には予め固定しておいてもよい。
【００１４】
図２は上記植栽ボックス４の正面図であり、図３は側面図である。この植栽ボックス４は金網からなり、その側面部６は、図３（Ａ）の例は前面部５の下縁を内側に折り曲げたものであり、（Ｂ）の例は折り曲げないで平面状の前面部５としたものである。したがって、（Ｂ）の側面部６の形状はほぼ逆直角三角形の形状であり、（Ａ）の側面部６の形状は三角形の下端の頂部を切欠いて四辺形の形状になったものである。この金網は、鉄線を格子状に溶接した後、メッキ処理を施して、耐久性及び耐候性を高めることが望ましい。
【００１５】
この側面部６の後縁に鉄筋材からなる斜辺６ａが設けられ、この斜辺６ａを法枠の傾斜した上面（前面）に固定することにより、前面部５がほぼ垂直に立上がるように植栽ボックス４が設置される。この場合、法枠面から前面部５までの長さＬは金網の強度範囲内でなるべく長い方が客土を多く収容でき大きな緑化効果が得られる。所定の長さＬを得るために、（Ａ）の場合には（Ｂ）に比べ高さＨが小さくてすむ。
【００１６】
左右側面部６の上端の取付部７ａは、鉄筋を曲げ加工して横方向に長いリング状の長孔形状のルーズ孔としたものである。また下端の取付部７ｂは同様に鉄筋を曲げ加工して縦方向に長いリング状の長孔形状のルーズ孔としたものである。さらに、前面部５の下縁２ヶ所に縦長の長孔形状のルーズ孔を有する補助取付部８が装着される。これらの各長孔状取付部７ａ，７ｂ，８の取付面となる孔面は、法枠上面に取付けられるように、左右の斜辺６ａを含む平面と同一面内に形成される。
【００１７】
上記構成の植栽ボックス４の施工手順は以下のとおりである。（１）：既設の法枠に対し、内部の鉄筋を避けた位置に、取付用のアンカーを位置決めして削孔する。この位置決めに際し、図４（Ａ）または（Ｂ）に示すような位置決め用治具９を用いることにより、容易にアンカーの位置を定めることができる。この位置決め用治具９は、鉄筋の枠材からなり、前述の植栽ボックスの取付部７ａ，７ｂ，８の位置にリング９ａを形成したものである。図４（Ａ）は，例えば法枠格子の縦枠間の間隔が１５００ｍｍより小さい場合に使用し、（Ｂ）は間隔が１５００ｍｍ以上の場合に使用する。このような、位置決め用治具９は、前述の植栽ボックス４の前面部５及び側面部６を構成する金網を張る前の枠材状態のものを用いることができる。これにより、法枠各格子の下側部分の縦枠２及び横枠３（図１参照）に前記植栽ボックスの取付部７ａ，７ｂ，８の位置に対応した孔が形成される。
【００１８】
（２）：次に、上記削孔した各孔にアンカーボルトを埋設し、そのボルト部分を法枠上面から突出させる。
【００１９】
（３）：次に、法枠上面から突出する前記アンカーボルトに植栽ボックスの各取付部のリング状長孔からなるルーズ孔を嵌め込んで植栽ボックスを仮載置する。このとき、植栽ボックスの各取付部と法枠上面との間の隙間がほぼ平均化するように植栽ボックスの位置や傾きを調整する。その場合、一方のリング状長孔からなるルーズ孔を所定のアンカーボルトに嵌め込んで掛合させた後に、他方のリング状長孔からなるルーズ孔を他のアンカーボルトに対して掛合させる際には、先のアンカーボルトとルーズ孔との掛合部を中心に長い斜辺６ａを腕として大きな回転モーメントを加えることができることから植栽ボックスの変形が容易になり、他方のルーズ孔とアンカーボルトとの位置合わせなどの調整作業の作業性も向上される。
【００２０】
（４）：この仮載置した状態で、各取付部に挿通するアンカーボルトにナットを締付けることにより、植栽ボックスを法枠に固定する。この場合、最初に仮載置状態で法枠に接している取付部のナットを締結し、続いて、金網の変形や隙間を確認しながら、隙間の小さい取付部から順次ナットを締付けて固定する。このとき、途中で金網が部分的に大きく浮き上ったときには、その部分にさらに補助取付部を形成してアンカーボルトを打ち込みナットで締付けて隙間を小さくしてもよい。これにより、植栽ボックスと法枠上面との間に大きな隙間が生じた場合であっても、その隙間に合わせて植栽ボックスを位置調整したり変形させて隙間を埋めて確実に法枠に固定することができる。
【００２１】
（５）：次に、金網の内側に不織布を張って覆う。このとき、例えば断面がコ字状の取付金具を用いて、これを金網の上縁部を覆う不織布の上から押込んで金網とともに上から挟んで不織布を固定する。なお、不織布に限らず、容易に変形し可撓性のあるシート状の布材であって、耐候性、耐久性、耐煙（火）性及び保水性のいずれか又は全てを有する布材を用いてもよい。例えば、樹脂製のフィルムやビニールシート、銀紙等の金属薄膜を張った耐熱シートあるいは各種雨避けや日除け用のシート等を用いることができる。
【００２２】
（６）：次に、必要に応じて内面を不織布で覆った植栽ボックス内に客土を投入し、その後この客土に低木樹木等の木本類を植栽する。客土に肥料等を混入させたり、保水材を混入することは適宜可能である。また、植栽ボックスを１つおきの格子ごとに設け、或は上下の格子で位置をずらせて千鳥状に配設し、材料を節約して大局的に大きな面での景観の向上を図ってもよい。
【００２３】
以上は既設の法枠に植栽ボックスを施工する手順であるが、新設の法枠の場合には、地山に法枠のフレームを設置した後、ステンレスのアンカーボルトをフレームを通して地山に打ち込む。このアンカーボルトを養生した後、コンクリートまたはモルタルを吹付ける。これによりアンカーボルトが上面に突出した法枠が形成される。その後は、上記（３）〜（６）と同じである。
【００２４】
図５は補助取付部８を構成する補助固定部材１０の形状例を示す。（Ａ）は前述の図２の植栽ボックスで用いた補助取付部８を構成する補助固定部材１０を示す。図示したように、縦長の長孔１０ａにアンカーボルト１１が挿通する。この長孔１０ａの範囲内でアンカーボルト１１に対する位置調整が可能になる。この補助固定部材１０は、その先端部１０ｃが金網の網目を通して斜めにして挿入され、横にして手前に引くと、左右に広がったこの先端部１０ｃが金網の網目に引っ掛って外れなくなり金網に固定保持される。横棒１０ｄは金網の手前で、金網の複数の網目を下から受ける。補助固定部材１０は、溶接あるいは結束線で金網に固定してもよい。このような補助固定部材１０は、格子の縦枠ピッチが長く、例えば１５００ｍｍ以上のときに取付けて金網下縁の浮き上りを防止する。
【００２５】
（Ｂ）は、長孔１０ａの長さを長くしたものである。これにより位置調整範囲が広がる。（Ｃ）は、長孔１０ａの先に浮き上り防止片１０ｂを設けたものである。この浮き上り防止片１０ｂの反力により金網下縁の浮き上りが防止される。（Ｄ）は、長孔１０ａの横幅を広げた例である。これにより、アンカーボルト１１が法枠の鉄筋やスターラップ及びアンカーバー等を避けた位置に配置された場合の横方向の位置調整範囲が広がる。上記各例において、（Ｅ）に示すように、補助固定部材の先端に角度をつけることにより植栽ボックスの金網に確実に当てて固定できる。
【００２６】
法枠格子の縦枠ピッチが長い場合、客土を入れたときの金網の上縁の膨らみを防止するために、中間部に補強アンカーを設置してもよい。この補強アンカーは、格子内部の地山を削孔し、補強用アンカーを挿入してグラウトを注入して固定する。このアンカーの先端を金網中央部の上縁に結合して外側への膨らみを防止する。
【００２７】
図６は、金網の膨らみ防止手段のさらに別の例を示す。（Ａ）は、植栽ボックス４の左右の側面部６の端部間に鉄筋材１３を架け渡して固定し、この鉄筋材１３と金網の前面部５の中央部上縁とをフック１２で連結したものである。
【００２８】
（Ｂ）は左右の各側面部６の端部と金網の前面部５の中央部上縁とをフック１４で斜めに連結したものである。この場合、フック１４の中間にターンバックル等の調整手段を設けてもよい。これにより、金網の寸法や変形度合いに応じて確実にフック１４を固定し膨らみを防止することができる。
【００２９】
（Ｃ）は左右の側面部６の端部間に２本の並列する鉄筋材１８を架け渡して固定し（図は上面図であり１本のみ図示）、この２本の鉄筋材１８の背面側にリング１６が固定されたプレート１５を配設し、２本の鉄筋材１８間にリング１６を挿通させ、このリング１６と金網の前面部５の中央部上縁とをフック１７で連結したものである。
【００３０】
図７は、他の実施形態の設置状態を示した正面図である。本実施形態例は、縦枠２上の鉄筋２５を避けた位置に植栽ボックスを固定するための上下双方のアンカーボルト（図示しない）を打ち込む場合を示したものである。この場合には、図示のように、それぞれのアンカーボルトに対し、左右両側の側面部６の斜辺６ａの上端及び下端を取付部２６及び２７を介して固定し、下端側の取付部２７の関しては、下方のアンカーボルトの位置に合わせて外側へ拡げられる。このように、上下双方のアンカーボルトを縦枠２上に設置する場合には、斜辺６ａの下端側の取付部をアンカーボルトの位置に合わせて外側へ拡げることによって対応することが可能である。なお、本実施形態例では、前面部５の下縁が補助取付部２８を介して上側から引っ張られて固定される場合を例示した。そして、この実施形態の配置によれば、植栽ボックス４により横枠３を隠すことができる。
【００３１】
図８は、上記図７の配置例における補助取付部２８を構成する補助固定部材２９の構成例を示す。（Ａ）に示すように、この補助固定部材２９は、その上端部側に長孔２９ａを有し、この長孔２９ａをアンカーボルト１１が挿通する。補助固定部材２９の下端部に横棒２９ｂが備わり、この横棒２９ｂが前面部５の金網の下縁（図７参照）の網目に挿入されて保持される。これにより、補助固定部材２９が金網下縁を上から引っ張って支持することができる。
【００３２】
（Ｂ）は、長孔２９ａを長くしてアンカーボルト１１に対する位置調整範囲を広げたものである。また、（Ｃ）は、長孔２９ａの上側に浮き上り防止片２９ｃを備え、その反力作用により金網の浮き上りを防止するものである。
【００３３】
図９は、好ましい実施形態として、植栽ボックス４の前面部５及び側面部６の金網を木の板材または擬木等からなる防腐材を塗布した化粧板３０で覆ったものである。化粧板３０は、金網の下部に設けたアングル材その他適当な部材からなる受け部材３１に装着され支持される。又はワイヤ等で固定してもよい。
【００３４】
図１０は、植栽ボックス４の完成状態を示す。植栽ボックス４内とともに縦枠２及び横枠３からなる格子内に客土３２が投入され、中低木の樹木が植栽される。
【００３５】
【発明の効果】
以上説明したように、本発明では、傾斜している法枠の上面に植栽ボックスの側面部が固定され、前面部がほぼ垂直に立上がって、上面が開口する植栽ボックスが法枠の上側に形成される。したがって、植栽ボックスの側面部や前面部の変形及び取付部の長孔形状等からなるルーズ孔の位置調整により、法枠上面で取付部の位置を容易に調整でき、法枠の格子の位置や間隔及び傾きやねじれ等に追従して無理なく容易に法枠に固定することができる。
【００３６】
この場合、金網等の自在変形性を活用して、地山の凹凸や法面底縁からの垂直面の方向及び傾斜角度等に対応して構築されているコンクリート法枠に対し、細かく追従して変形させながら、この法枠に固定したアンカー部材へ固定できるので、取付の作業性が向上する。
【００３７】
とりわけ、左右の側面部の後縁側に形成される斜辺を、それぞれ側面部の後縁部の長さより長い線材から構成し、それらの斜辺の上端及び下端に、前記側面部から離間した状態に、法枠上面に突出するアンカーボルトを挿通させるためのルーズ孔を設けたので、そのルーズ孔の周辺には広い作業空間が形成されることから、各アンカーボルトに対する各ルーズ孔の嵌め込み作業が容易で、その作業性を向上できる。
【００３８】
また、前記斜辺の上端及び下端に設けられたルーズ孔相互間の距離が側面部の後縁部の長さより長くなることから、一方のルーズ孔をアンカーボルトに嵌め込んで掛合させた後に、他方のルーズ孔を他のアンカーボルトに対して掛合させる際には、その長い斜辺を腕として大きな回転モーメントを加えることが可能になり、植栽ボックスの変形が容易になるので、当該ルーズ孔とアンカーボルトとの位置合せ作業がより簡便になり、その作業性を向上できる。
【００３９】
さらに、金網等とコンクリート法枠との間に隙間が生じても、不織布等の布材で内部を覆うことにより、客土の流出を防止することができる。また、格子状法枠の下側の横枠に沿って金網等が設置されるので、格子下縁側の内部を含め植栽ボックス内に客土量を十分多くして収容することができ、木本類の植生が可能になって、景観の向上が図られる。
【００４０】
格子間の中間部分に補助固定部材を適宜取付けて金網等を法枠上面に固定することにより、金網等の膨らみを抑え、変形を最小限に抑えて植栽ボックスを形成でき、外観が損なわれない。この補助固定部材は、金網等の網目に簡単に挿入可能な構成とすることができる。
【図面の簡単な説明】
【図１】  本発明の実施形態に係る植栽ボックスの設置状態の正面図。
【図２】  植栽ボックスの正面図。
【図３】  植栽ボックスの側面図。
【図４】  植栽ボックスの施工治具を示す概略説明図。
【図５】  補助固定部材の形状例を示す概略図。
【図６】  金網の膨らみ防止手段の例を示す概略図。
【図７】  他の実施形態に係る植栽ボックスの設置状態の正面図。
【図８】  図７の配置例における補助取付部を構成する補助固定部材の構成例を示す概略図。
【図９】  植栽ボックスの前面部及び側面部を化粧板で覆った概略図。
【図１０】  植栽ボックスの完成状態を示す概略図。
【符号の説明】
１：法枠、２：縦枠、３：横枠、４：植栽ボックス、５：前面部、６：側面部、６ａ：斜辺、７ａ，７ｂ：取付部、８：補助取付部、９：位置決め用治具、１０：補助固定部材、１０ａ：長孔、１０ｂ：浮き上り防止片、１０ｃ：先端部、１０ｄ：横棒、１１：アンカーボルト、１２：フック、１３鉄筋材、１４：フック、１５：プレート、１６：リング、１７：フック、１８：鉄筋材、２５：鉄筋、２９ａ：長孔、２９ｂ：横棒、２９ｃ：浮き上り防止片、３０：化粧板、３１：受け部材、３２：客土
【図１】
0004382243.tif 000002
【図２】
0004382243.tif 000003
【図３】
0004382243.tif 000004
【図４】
0004382243.tif 000005
【図５】
0004382243.tif 000006
【図６】
0004382243.tif 000007
【図７】
0004382243.tif 000008
【図８】
0004382243.tif 000009
【図９】
0004382243.tif 000010
【図１０】
0004382243.tif 000011